(57)【要約】【課題】装着物の盗難を防止できる固定金具を提供すること。【解決手段】雄部材１及び雌部材２で装着物３を被装着物４に固定すると共にロック部材１４を雄部材１の先端から挿入して錠機構７を施錠すると、ロック部材１４の係止爪８がボルト１の係止部１２に係入し、雄部材１とロック部材１４が分離不能になる。そして、雌部材２は、ロック部材１４のフランジ部１６によって雄部材１から取り外せなくなるから、装着物３の盗難を防止することができる。また、錠機構７を解錠してロック部材１４をボルト１から取り外すことにより、装着物３の取り外しが可能になる。【選択図】  図１０
2004218811.tif 000002
【特許請求の範囲】
【請求項１】
装着物の取付けに使用する雄部材及び雌部材からなる固定金具であって、前記雄部材又は前記雌部材のいずれか一方の部材に錠機構を設け、前記錠機構の施錠により前記雄部材と前記雌部材の分離を防止するようにした固定金具。
【請求項２】
装着物の取付けに使用する雄部材及び雌部材と、前記雄部材及び前記雌部材の分離防止用のロック部材とからなる固定金具であって、前記雄部材、前記雌部材又は前記ロック部材のいずれか一つの部材に錠機構を設け、前記錠機構の施錠により前記雄部材又は前記雌部材のいずれか一方の部材と前記ロック部材の分離を防止するようにした固定金具。
【請求項３】
前記ロック部材が、前記雄部材の先端面に穿設した挿入孔に挿入する軸部と、該軸部に形成され前記雌部材の内径よりも大径のフランジ部とを備えた請求項２に記載の固定金具。
【請求項４】
前記錠機構がラチェット機構を構成している請求項１〜３のいずれかに記載の固定金具。
【発明の詳細な説明】
【０００１】
【発明の属する技術分野】
本発明は、装着物を装着する際に使用する固定金具に関するものである。
【０００２】
【従来の技術】
従来、自転車や自動二輪車、自動車には、バスケットや収納ボックス、バックミラー、キャリア、タイヤその他種々のパーツ（以下、装着物という。）がボルト・ナットやネジなどの固定金具で取付けられていた（例えば、特許文献１参照）。
【０００３】
【特許文献１】
特開平０８−３３２９８３号公報
【０００４】
【発明が解決しようとする課題】
ところが、従来の固定金具では、レンチやドライバーなどの入手が容易な工具で装着物を簡単に取り外すことができるので、駐輪・駐車中の車体から装着物が盗難されるおそれがあった。
【０００５】
本発明はかかる課題に鑑み創案するに至ったものであって、その目的は、装着物の盗難を防止可能な固定金具を提供することにある。
【０００６】
【課題を解決するための手段】
本発明の請求項１に係る固定金具は、装着物の取付けに使用する雄部材及び雌部材からなる固定金具であって、前記雄部材又は前記雌部材のいずれか一方の部材に錠機構を設け、前記錠機構の施錠により前記雄部材と前記雌部材の分離を防止することを特徴としている。本発明は上記の如く構成され、錠機構を施錠すると、錠機構の解錠キーを所有しない者が雄部材及び雌部材を分離困難になるから、雄部材及び雌部材で取付けられた装着物の盗難を予防することができる。
【０００７】
ここで、装着物は、盗難されるおそれがある物であれば如何なる物でもよく、装着物の取付け対象である被装着物は、上記の自転車や自動二輪車、自動車以外の如何なる物でもよい。雄部材及び雌部材は、装着物や被装着物とは別体に構成された物に限らず、装着物又は被装着物と一体に成形したものも含む。錠機構は、鍵を鍵穴に挿し込んで施錠・解錠するもののほか、鍵穴を持たない非接触式のもの、ダイヤルキーなどの鍵と一体に構成したものも含む。
【０００８】
本発明の請求項２に係る固定金具は、装着物の取付けに使用する雄部材及び雌部材と、前記雄部材及び前記雌部材の分離防止用のロック部材とからなる固定金具であって、前記雄部材、前記雌部材又は前記ロック部材のいずれか一つの部材に錠機構を設け、前記錠機構の施錠により前記雄部材又は前記雌部材のいずれか一方の部材と前記ロック部材の分離を防止することを特徴としている。本発明は上記の如く構成され、雄部材及び雌部材で装着物を取付け、かつ、ロック部材を雄部材及び／又は雌部材に取付けると共に錠機構を施錠すると、ロック部材により雄部材及び雌部材の分離が困難になるから、雄部材及び雌部材で取付けられた装着物の盗難を予防することができる。
【０００９】
本発明の請求項３に係る固定金具は、前記ロック部材が、前記雄部材の先端面に穿設した挿入孔に挿入する軸部と、該軸部に形成され前記雌部材の内径よりも大径のフランジ部とを備えたことを特徴としている。本発明は、雄部材及び雌部材で装着物を取付け、かつ、ロック部材を雄部材の先端から挿入すると共に錠機構を施錠すると、ロック部材及び雄部材の分離が困難になる。そして、ロック部材のフランジ部が雌部材の内径のより大きく形成されているから、雄部材及び雌部材の分離が困難になり、雄部材及び雌部材で取付けられた装着物の盗難を予防することができる。
【００１０】
本発明の請求項４に係る固定金具は、前記錠機構がラチェット機構を構成していることを特徴としている。本発明は、雄部材と雌部材、若しくは雄部材又は雌部材のいずれか一方の部材とロック部材を結合させるだけで錠機構の施錠が自動で行なわれるので、装着物の取付けが容易になる。また、錠機構を解錠すると、ラチェット機構の係止を解除できるから、雄部材と雌部材、若しくは雄部材又は雌部材のいずれか一方の部材とロック部材を容易に分離することができる。
【００１１】
【発明の実施の形態】
以下、図面を参照しつつ本発明に係る固定金具の実施形態について説明する。
【００１２】
【第１実施形態】
図１乃至図３は、本発明の第１実施形態に係る固定金具を例示しており、同図において、１は雄部材としてのボルトで、２は雌部材としての普及型のナットで、３，４は装着物及び該装着物を取付ける被装着物又はこれらのブラケットである。なお、ナット２については周知のものでよいから詳しい説明を割愛する。
【００１３】
ボルト１は、螺子溝を有する螺軸部５と、六角形状の螺頭部６とからなり、螺軸部５及び螺頭部６には錠機構７が軸方向に埋設してある。螺軸部５の先端部近傍の外周面には、錠機構７に連動した係止爪８を突出させる爪孔９が穿設され、螺頭部６の端面には、錠機構７の鍵穴１０が露出している。なお、錠機構７の施錠解錠用のキーについて図示を省略している。
【００１４】
第１実施形態に係る固定金具は、上記の如く構成され、図１のように爪孔９から係止爪８が突出していない状態でボルト１をナット２に螺挿したのち、錠機構７の鍵穴１０にキーを挿し込んで施錠すると、図２及び図３の如くナット２を係止可能な位置まで係止爪８が突出するので、ボルト１及びナット２の分離を防止できるようになっている。また、錠機構７の鍵穴１０にキーを挿し込んで解錠すると、係止爪８が爪孔９の内側まで引込むので、ボルト１又はナット２を分離方向に回転させて、ボルト１及びナット２を図１の如く分離させることができる。
【００１５】
本発明は上記の如く、錠機構７の施錠によりボルト１及びナット２の分離を困難にしたので、本固定金具を用いて取付けた装着物３の盗難を防止することができる。なお、第１実施形態では、雄部材及び雌部材としてボルト１及びナット２を用いて説明したが、雄部材及び雌部材は、螺溝を有さずに嵌合する部材であってもよい。
【００１６】
【第２実施形態】
図４及び図５は、本発明の第２実施形態に係る固定金具を構成するナット２を例示している。なお、ボルト１については、上記第１実施形態のボルト１と略同一の構造とし、詳しい説明を割愛する。
【００１７】
ナット２は、中心部にボルト１の螺軸部５の外径に対応した螺孔１１を有する六角形状の部材で、螺孔１１の内壁面に係止爪８を係入可能な係止部１２を穿設してある。また、ナット２の端面には、係止部１２の位置を示す目印となる所定形状の凹部１３を刻設してある。
【００１８】
なお、本実施形態で使用するボルト１としては、係止爪８の突出位置がボルト１の先端部からナット２の幅より螺頭部６側であることが望ましく、他の点については上記第１実施形態とほぼ同じ構造でよい。したがって、本固定金具の外観は、図１に示す上記第１実施形態の固定金具とほぼ同じである。
【００１９】
第２実施形態に係る固定金具は、上記の如く構成され、爪孔９から係止爪８が突出していない状態でボルト１をナット２に螺挿すると共にボルト１の係止爪８とナット２の係止部１２の位置合わせをしたのち、錠機構７の鍵穴１０に挿し込んだキーでもって、係止爪８をナット２の係止部１２に係入させると、ボルト１及びナット２の分離が困難になる。また、錠機構７を解錠して係止爪８を爪孔９の内側まで引込めると共にボルト１又はナット２を分離方向に回転させると、ボルト１及びナット２を図１の如く分離させることができる。
【００２０】
本発明は上記の如く、錠機構７を施錠して係止爪８を係止部１２に係入することによりナット２の回転を防止し、ボルト１及びナット２の分離を困難にしたので、本固定金具を用いて取付けた装着物３の盗難を防止することができる。
【００２１】
以上、本発明の第２実施形態につき説明したが、本発明は前記第２実施形態に限定されることなく種々の変形が可能であって、例えば係止爪８及び係止部１２の位置合わせを容易にすべく、係止部１２を１箇所に限らず複数箇所、例えばナット２の軸方向に縦列に設けたり、周方向に複数箇所設けたり、全周に設けてもよい。
【００２２】
また、雌部材としては、ナット２に限らず、上記の係止部１２を設けた螺孔１１を有する部材であってもよい。例えば、装着物３又は被装着物４に螺孔１１を穿設すると共に螺孔１１に係止部１２を設けることが挙げられ、装着物３が自動車のタイヤで、被装着物４が自動車（の車軸）である場合などに好適である。
【００２３】
【第３実施形態】
図６及び図７は、本発明の第３実施形態に係る固定金具を例示しており、各図において、１は雄部材、２は雌部材、３，４は装着物及び被装着物のブラケットである。なお、本実施形態において、上記第１及び第２実施形態の構成要素と対応する部位には、同一の符号を付すこととする。
【００２４】
雄部材１は、雌部材２に挿入する軸部５と、軸部５の片端部に放射状に形成され軸部５よりも大径の頭部６とからなり、軸部５及び頭部６には錠機構７が埋設してある。軸部５の先端部近傍の外周面には、錠機構７に連動した複数の係止爪８が周方向に所定間隔で突出しており、図示外の弾性部材により突出した状態で弾性支持されている。頭部６の端面には、錠機構７の鍵穴１０が露出しており、鍵穴１０に挿し込んだキーでもって、係止爪８を引込めるようになっている。
【００２５】
雌部材２は、中心部に雄部材１の軸部５の外径に対応した挿入孔１１を有する円筒状の部材で、挿入孔１１の内壁面に係止爪８を係止するラチェット溝１２を穿設してある。ラチェット溝１２は、挿入孔１１の周方向に沿った直角三角形断面の溝を軸方向に複数連設したもので、雌部材２の含軸心断面形状が鋸刃状になっている。
【００２６】
第３実施形態に係る固定金具は、上記の如く、錠機構７に連動した係止爪８とラチェット溝１２でラチェット機構を構成しており、雄部材１の軸部５をブラケット３，４に挿通すると共に雌部材２がブラケット３に接触又は近接する位置まで雄部材１又は雌部材２を他方側へ向けて押し込むと、係止爪８がラチェット溝１２により弾性的に引込み・突出を繰り返しつつ、雄部材１及び雌部材２を結合させ、これにより装着物を被装着物に取付けることができる。また、錠機構７の鍵穴１０に挿し込んだキーでもって、係止爪８を引込めると共に雌部材２を雄部材１から引き抜くと、装着物３を被装着物４から取り外すことができる。
【００２７】
本発明は上記の如く、ラチェット機構により雄部材１及び雌部材２を嵌合するだけで装着物３を被装着物４に取付けることができ、しかも装着物３を一旦取付けてしまうと、錠機構７を解錠しなければ装着物３の取り外しが困難になっているので、装着物３の盗難を防止することができる。
【００２８】
以上、本発明の第３実施形態につき説明したが、本発明は前記第３実施形態に限定されることなく種々の変形が可能であって、例えばラチェット溝１２を雄部材１側に設けると共に錠機構７及び錠機構７に連動した係止爪８を雌部材２側に設けたり、例えば図８のように、係止爪８の幅に対応したラチェット溝１２を係止爪８の形成箇所に対応して設けてもよい。また、図８の場合、ラチェット溝１２の鋸刃状の溝底（以下、鋸刃部という。）を弾性的に突出・引っ込み可能にすると共に係止爪８を上記第１及び第２実施形態と同様に錠機構７で駆動するように構成することも可能である。
【００２９】
【第４実施形態】
図９及び図１０は、本発明の第４実施形態に係る固定金具を例示しており、各図において、１は雄部材としてのボルトで、２は雌部材としての普及型のナットで、３，４は装着物及び該装着物を取付ける被装着物又はこれらのブラケットで、１４はロック部材である。なお、ナット２については周知のものでよいから詳しい説明を割愛する。
【００３０】
ロック部材１４は、錠機構７及び該錠機構７に連動した係止爪８を有する軸部１５と、軸部１５の片端部から放射状に形成されナット２の螺孔１１よりも大径のフランジ部１６とを備え、軸部１５の片端面に錠機構７の鍵穴１０が露出している。そして、錠機構７を施錠すると軸部１５の先端部近傍の外周面に穿設された爪孔９から係止爪８が突出し、錠機構７を解錠すると係止爪８が爪孔９内に引込むようになっている。また、軸部１５には、軸方向に位置決め用の突条１７を突設してある。
【００３１】
ボルト１は、螺子溝を有する螺軸部５と、六角形状の螺頭部６とからなり、螺軸部５の先端部から軸方向にロック部材１４を挿入する挿入孔１８を穿設してある。挿入孔１８の内周部には、係止爪８を係入する係止部１２と、突条１７に対応した位置決め用の凹溝部１９とを設けてある。
【００３２】
第４実施形態に係る固定金具は、上記の如く構成され、ボルト１及びナット２でブラケット３，４を固定すると共に突条１７を凹溝部１９に合わせてロック部材１４をボルト１に挿入することで、係止爪８を挿入孔１８内の係止部１２に係入可能にしてある。そして、ボルト１にロック部材１４を装着して錠機構７を施錠すると、ロック部材１４のフランジ部１６によりボルト１からナット２を取り外せなくなるから、装着物の盗難を防止することができる。また、錠機構７を解錠してロック部材１４をボルト１から取り外すことにより、装着物の取り外しが可能になる。
【００３３】
以上、本発明の第４実施形態につき説明したが、本発明は前記第４実施形態に限定されることなく種々の変形が可能であって、例えば錠機構７は、図１１（Ａ）（Ｂ）の如く、ロック部材１４の軸部１５の先端面に、係止爪８を先端に設けた揺動部材２０を枢着し、この揺動部材２０をキー操作により揺動させる構成であってもよい。この場合、ボルト１の挿入孔１８の孔底に係止爪８を係止するアーチ状の係止部１２を突設したり、或いは挿入孔１８の孔底に係止爪８を係入可能な係止部（図示略）を穿設しておく。
【００３４】
また、錠機構７は、図１１（Ａ）（Ｂ）の如く、ボルト１側に設けてもよい。この場合、ボルト１の挿入孔１８の孔底に、係止爪８を先端に設けた揺動部材２０を枢着し、この揺動部材２０をキー操作により揺動させる構成とし、ロック部材１４の軸部１５の先端面に係止爪８を係止するアーチ状の係止部１２を突設したり、或いは挿入孔１８の孔底に係止爪８を係入可能な係止部（図示略）を穿設しておく。
【００３５】
また、ロック部材１４のフランジ部１６は、軸部１５から放射状に形成した円板状のものに限らず、複数の舌片状のフランジ部（図示略）を軸部１５の周方向に所定間隔で配設したり、或いは図１２の如く、円板部１６ａの外周部から軸部１５の先端に向けてボルト１の先端部を囲繞する環状の壁部１６ｂを設けた環状フランジであってもよい。
【００３６】
また、ボルト１及びロック部材１４の取付け構造は、ラチェット機構であってもよい。この場合、錠機構７は、ボルト１又はロック部材１４のいずれに設けてもよい。
【００３７】
【第５実施形態】
図１３乃至図１５は、本発明の第５実施形態に係る固定金具を例示しており、各図において、１は雄部材としてのボルトで、２は雌部材としてナットで、３，４は装着物及び該装着物を取付ける被装着物又はこれらのブラケットである。
【００３８】
ボルト１は、螺子溝を有する螺軸部５と、六角形状の螺頭部６とからなり、螺軸部５の外周面には、軸方向に係止溝１２を穿設してある。
【００３９】
ナット２は、中心部にボルト１の螺軸部５の外径に対応した螺孔１１を有する六角形状の部材で、一側面から中心部に向けて錠機構７を埋設してある。錠機構７は、係止溝１２に係入する係止爪８を駆動するものである。
【００４０】
第５実施形態に係る固定金具は、上記の如く構成され、錠機構７の鍵穴１０に挿し込んだキーにより係止爪８を引込めた状態でボルト１をナット２に螺挿して装着物３を被装着物４に取付けると共に錠機構７と係止溝１２の位置を合わせたのち錠機構７を施錠すると、係止爪８が係止溝１２に係入しているので、ナット２が回転不能になる。したがって、錠機構７を解錠しない限り、ボルト１及びナット２の分離が困難になるから、装着物の盗難を防止することができる。
【００４１】
以上、本発明の第５実施形態につき説明したが、本発明は前記第５実施形態に限定されることなく種々の変形が可能であって、例えば図１６及び図１７の如く、ナット２の一側面に形成した挿入孔１８からロック部材１４を挿入して、ロック部材１４の先端部をボルト１の係止溝１２に係入することでナット２の回転を防止することも可能である。かかる場合、図１７の如く、ラチェット機構によりナット２とロック部材１４を係止し、錠機構７の鍵穴１０に挿し込んだキーでもって、ラチェット機構の係止を解除する。なお、図示は省略するが、ラチェット溝１２’を係止溝１２内に設け、ボルト１とロック部材１４を結合させることで、ナット２の回転を防止するようにしてもよい。
【００４２】
また、上記第１〜第５実施形態では、雄部材及び雌部材としてボルト及びナットを用いて説明したが、雄部材及び雌部材は、例えば中央部が湾曲して両端部が平板状の部材であって各々の両端部を雌雄結合するように構成したものや、片端部をヒンジ結合して遊端部を雌雄結合するように構成したものなど、種々の金具への適用が可能である。
【００４３】
【発明の効果】
本発明は前述の如く、雄部材及び雌部材、雄部材及びロック部材、又は雌部材及びロック部材を錠機構の施錠により分離困難な状態にすることで、装着物の盗難を防止することができる。
【図面の簡単な説明】
【図１】本発明の第１実施形態に係る固定金具の斜視図である。
【図２】同じく第１実施形態に係る固定金具の断面図である。
【図３】同じく第１実施形態に係る固定金具の軸方向から見た図である。
【図４】本発明の第２実施形態に係る固定金具を構成する雌部材の軸心直角断面図である。
【図５】同じく第２実施形態に係る固定金具を構成する雌部材の含軸心断面図である。
【図６】本発明の第３実施形態に係る固定金具の斜視図である。
【図７】同じく第３実施形態に係る固定金具の断面図である。
【図８】同じく第３実施形態に係る固定金具の変形例を示す軸方向から見た図である。
【図９】本発明の第４実施形態に係る固定金具の斜視図である。
【図１０】同じく第４実施形態に係る固定金具の断面図である。
【図１１】（Ａ）（Ｂ）は、第４実施形態に係る固定金具の変形例を示す要部拡大断面図である。
【図１２】同じく第４実施形態に係る固定金具の変形例を示す雌部材の要部断面図である。
【図１３】本発明の第５実施形態に係る固定金具の斜視図である。
【図１４】同じく第５実施形態に係る固定金具の含軸心断面図である。
【図１５】図１４の矢印方向に見た固定金具の軸心直角断面図である。
【図１６】本発明の第５実施形態に係る固定金具の変形例を示す斜視図である。
【図１７】図１６に示す雌部材及びロック部材の含軸心断面図である。
【符号の説明】
１        雄部材
２        雌部材
７        錠機構
１４    ロック部材
【図１】
2004218811.tif 000003
【図２】
2004218811.tif 000004
【図３】
2004218811.tif 000005
【図４】
2004218811.tif 000006
【図５】
2004218811.tif 000007
【図６】
2004218811.tif 000008
【図７】
2004218811.tif 000009
【図８】
2004218811.tif 000010
【図９】
2004218811.tif 000011
【図１０】
2004218811.tif 000012
【図１１】
2004218811.tif 000013
【図１２】
2004218811.tif 000014
【図１３】
2004218811.tif 000015
【図１４】
2004218811.tif 000016
【図１５】
2004218811.tif 000017
【図１６】
2004218811.tif 000018
【図１７】
2004218811.tif 000019